(57)【要約】【課題】        パソコンの使いやすさの向上。【解決手段】インターフェース拡張用ボード接続部からコードで引っ張り、空いたスロット、たとえばＣＤ−ＲＯＭなどを入れるところからＵＳＢ等の周辺機器との接続部がでるようになった仕組みのインターフェース拡張用ボードを作る。この仕組みにより、前面に周辺機器のコードを接続する事が出来るようになり、快適にコードの抜き差しができる周辺機器との接続部を容易に作り、増加させる事ができるようにする。【選択図】  図１
2005196719.tif 000002
【特許請求の範囲】
【請求項１】
パソコンの空きスロットから周辺機器等との接続部を出す仕組みを持つインターフェース拡張用ボード。
【請求項２】
周辺機器等との接続部を同じスロットにまとめる事ができる形状をしたインターフェース拡張用ボード。
【請求項３】
請求項１、２に記載のいろいろなインターフェース拡張用ボードをパソコンに付けた時に同じスロットにそれらの接続部をまとめる事ができる形状をした固定装置。
【請求項４】
パソコンの空きスロットから周辺機器等との接続部を出し請求項２記載の固定装置で固定する仕組み。
【発明の詳細な説明】
【発明の詳細な説明】
【技術分野】
【０００１】本発明は、インターフェース拡張用ボードと周辺機器との接続部をパソコンの空きスロットから出し周辺機器との接続部を固定装置でそこに固定する事でコードの抜き差しの手間を軽減するインターフェース拡張用ボードである。
【背景技術】
【０００２】従来のインターフェース拡張用ボードと周辺機器との接続部はパソコンの後面にあるために不便に感じる事があった。その不便は、単純にその使用者の感覚的なものによるもの、ストレスだけではなく、作業効率にも関係するものである。
【発明が解決しようとする課題】
【０００３】従来、インターフェース拡張用ボードと周辺機器との接続部はパソコンの後面にあるために不便に感じる事があったが、快適にコードの抜き差しができるインターフェース拡張の環境を構築する。
【課題を解決するための手段】
【０００４】上記の問題を解決するために、インターフェース拡張用ボードをパソコンに取り付ける部分と周辺機器との接続部をコードで繋げた形態をしたインターフェース拡張用ボードを作り、周辺機器との接続部をパンコンの空きスロットから出す事が出来るようにし、そこに固定して快適にコードの抜き差しができるようにする。
【発明を実施するための最良の形態】
【０００５】本発明は、周辺機器等との接続部が利用しやすいインターフェース拡張用ボードで、それを図面について説明すれば、インターフェース拡張用ボードをパソコンに取り付ける部分（図１−１）から周辺機器等との接続部（図１−３）をコード（図１−２）でつなぎ、パソコンの前面にある空きスロットから周辺機器等との接続部（図１−３）が出るようにし、そこに固定する為に、固定装置（図２）を付けたものである。固定装置には、いろいろな種類、又はいくつかの本発明のインターフェース拡張用ボードをパソコンに付けた時に、同じスロットにそれらの接続部をまとめる事ができる形状（図２）をした物も利用できるようにする事で、パソコンの空きスロットを有効に使う事が出来るようになる。固定装置は、空きスロットに取り付ける、主にネジでとめる際に使用する部分、たとえば図２−１で示される例のように、ネジでとめる際に使用する穴を空けた部分と周辺機器との接続部取り付け部分（図２−２）から構成される。
同じスロットにそれらの接続部をまとめる事ができる形状とは、周辺機器との接続部（図１−３）をはめ込む穴（図２−２）と使用していない部分に付けておく蓋（図２−３）から構成されるものである。
【発明の効果】
インターフェース拡張用ボードと周辺機器との接続部はパソコンの後面にあるために不便に感じる事があったが、快適にコードの抜き差しができるインターフェース接続部を容易に作り、増加させる事ができる。
【図面の簡単な説明】
【図１】インターフェース拡張用ボード
【符号の説明】
１  インターフェース拡張用ボード取り付け部分
２  コード
３  周辺機器との接続部
【図２】
固定装置
【符号の説明】
１  取り付け部分
２  周辺機器との接続部取り付け部分
３  蓋
【図１】
2005196719.tif 000003
【図２】
2005196719.tif 000004
【手続補正書】
【提出日】平成16年3月18日(2004.3.18)
【手続補正１】
【補正対象書類名】特許請求の範囲
【補正対象項目名】請求項３
【補正方法】変更
【補正の内容】
【請求項３】
パソコンの一つの空きスロットに周辺機器等との接続部をまとめる事ができる周辺機器等との接続機器
【手続補正２】
【補正対象書類名】特許請求の範囲
【補正対象項目名】請求項４
【補正方法】変更
【補正の内容】
【請求項４】
請求項４の削除
【手続補正４】
【補正対象書類名】明細書
【補正対象項目名】０００４
【補正方法】変更
【補正の内容】
【０００４】上記の問題を解決するために、インターフェース拡張用ボードをパソコンに取り付ける部分と周辺機器との接続部をコードで繋げた形態をしたインターフェース拡張用ボードを作り、周辺機器との接続部をパソコンの空きスロットから出す事が出来るようにし、そこに固定して快適にコードの抜き差しができるようにする。また、周辺機器との接続部を一つの空きスロットで複数まとめて固定できる形状にする。
【手続補正５】
【補正対象書類名】明細書
【補正対象項目名】０００２
【補正方法】変更
【補正の内容】
【０００２】従来のインターフェース拡張用ボードと周辺機器との接続部はパソコンの後面にあるために不便に感じる事があった。またパソコンの前面に使用者個々の必要に応じた接続部の増加をするには、不便があった。たとえば、特別な装置を取り付けるとなるとそれ一つで一つ空きスロットが埋まってしまう。増設する接続部等の組み合わせの選択の余地が少ない。余分な機能等の付加により価格が高い物になってしまう。
【手続補正６】
【補正対象書類名】明細書
【補正対象項目名】０００５
【補正方法】変更
【補正の内容】
【０００５】
本発明は、周辺機器等との接続部が利用しやすいインターフェース拡張用ボードで、それを図面について説明すれば、インターフェース拡張用ボードをパソコンに取り付ける部分（図１−１）から周辺機器等との接続部（図１−３）をコード（図１−２）でつなぎ、パソコンの前面にある空きスロットから周辺機器等との接続部（図１−３）が出るようし、そこに固定する。また、その為に、固定装置（図２）を使用すると便利になる。固定装置には、いろいろな種類、又はいくつかの本発明のインターフェース拡張用ボードをパソコンに付けた時に、同じスロットにそれらの接続部をまとめる事ができる形状（図２）をした物も利用できるようにする事で、パソコンの空きスロットを有効に使う事が出来るようになる。固定装置は、空きスロットに取り付ける、主にネジでとめる際に使用する部分、たとえば（図２−１）で示される例のように、ネジでとめる際に使用する穴を空けた部分と周辺機器との接続部取り付け部分（図２−２）から構成される。同じスロットにそれらの接続部をまとめる事ができる形状とは、周辺機器との接続部（図１−３）をはめ込む穴（図２−２）と使用していない部分に付けておく蓋（図２−３）から構成されるものである。
【発明の効果】
インターフェース拡張用ボードと周辺機器との接続部はパソコンの後面にあるために不便に感じる事があったが、快適にコードの抜き差しができるインターフェース接続部を容易に作り、増加させる事ができる。
【手続補正書】
【提出日】平成16年4月14日(2004.4.14)
【手続補正１】
【補正対象書類名】明細書
【補正対象項目名】全文
【補正方法】変更
【補正の内容】
【発明の詳細な説明】
【技術分野】
【０００１】本発明は、インターフェース拡張用ボードと周辺機器との接続部をパソコンの空きスロットから出し周辺機器との接続部を固定装置でそこに固定する事でコードの抜き差しの手間を軽減するインターフェース拡張用ボードである。
【背景技術】
【０００２】従来のインターフェース拡張用ボードと周辺機器との接続部はパソコンの後面にあるために不便に感じる事があった。またパソコンの前面に使用者個々の必要に応じた接続部の増加をするには、不便があった。たとえば、特別な装置を取り付けるとなるとそれ一つで一つ空きスロットが埋まってしまう。増設する接続部等従来、インターフェース拡張用ボードと周辺機器との接続部はパソコンの後面にあるために不便に感じる事があったが、快適にコードの抜き差しができるインターフェース拡張の環境を構築する。
【課題を解決するための手段】
【０００４】上記の問題を解決するために、インターフェース拡張用ボードをパソコンに取り付ける部分と周辺機器との接続部をコードで繋げた形態をしたインターフェース拡張用ボードを作り、周辺機器との接続部をパソコンの空きスロットから出す事が出来るようにし、そこに固定して快適にコードの抜き差しができるようにする。また、周辺機器との接続部を一つの空きスロットで複数まとめて固定できる形状にする。
【発明を実施するための最良の形態】
【０００５】本発明は、周辺機器等との接続部が利用しやすいインターフェース拡張用ボードで、それを図面について説明すれば、インターフェース拡張用ボードをパソコンに取り付ける部分（図１−１）から周辺機器等との接続部（図１−３）をコード（図１−２）でつなぎ、パソコンの前面にある空きスロットから周辺機器等との接続部（図１−３）が出るようし、そこに固定する。また、その為に、固定装置（図２）を使用すると便利になる。固定装置には、いろいろな種類、又はいくつかの本発明のインターフェース拡張用ボードをパソコンに付けた時に、同じスロットにそれらの接続部をまとめる事ができる形状（図２）をした物も利用できるようにする事で、パソコンの空きスロットを有効に使う事が出来るようになる。固定装置は、空きスロットに取り付ける、主にネジでとめる際に使用する部分、たとえば（図２−１）で示される例のように、ネジでとめる際に使用する穴を空けた部分と周辺機器との接続部取り付け部分（図２−２）から構成される。同じスロットにそれらの接続部をまとめる事ができる形状とは、周辺機器との接続部（図１−３）をはめ込む穴（図２−２）と使用していない部分に付けておく蓋（図２−３）から構成されるものである。
【発明の効果】
インターフェース拡張用ボードと周辺機器との接続部はパソコンの後面にあるために不便に感じる事があったが、快適にコードの抜き差しができるインターフェース接続部を容易に作り、増加させる事ができる。
【図面の簡単な説明】
【０００６】
【図１】  インターフェース拡張用ボードの全体図
【図２】  固定装置の全体図
【符号の説明】
【０００７】１  インターフェース拡張用ボード取り付け部分
２  コード
３  周辺機器との接続部
４  取り付け部分
５  周辺機器との接続部取り付け部分
６  蓋
【手続補正３】
【補正対象書類名】図面
【補正対象項目名】図２
【補正方法】変更
【補正の内容】
【図２】
2005196719.tif 000005
【手続補正書】
【提出日】平成16年7月8日(2004.7.8)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
パソコンの空きスロットから周辺機器等との接続部を出す仕組みを持つインターフェース拡張用ボード。
【請求項２】
周辺機器等との接続部を同じ空きスロットにまとめる事ができる形状をしたインターフェース拡張用ボード。
【請求項３】
パソコンの一つの空きスロットに周辺機器等との接続部をまとめる事ができる増設機器。
【手続補正２】
【補正対象書類名】手続補正書
【補正対象項目名】手続補正２
【補正方法】削除
【補正の内容】